(57)【要約】【課題】大型化を抑制すると共に記憶媒体を挿入排出するための挿排口を照明することができる車載機器を提供する。【解決手段】車載機器１００は、ＣＤ挿排口１８０を前面側に有する本体機器１１０と、光を照射する表示部１３１を有するポータブル機器１０を着脱自在に保持する収納凹部１７０を有していると共に本体機器１１０の前面側を露出、遮蔽するように傾動自在に配置された前面パネル１２０とを備え、前面パネル１２０には、ＣＤ挿排口１８０を照射する照明手段が設けられている。【選択図】図１０
2008168713.tif 000002
【特許請求の範囲】
【請求項１】
記憶媒体を挿入排出するための挿排口を前面側に有する本体機器と、
光を照射する表示部を有する携帯機器を着脱自在に保持する収納凹部を有していると共に前記本体機器の前面側を露出、遮蔽するように傾動自在に配置された前面パネルとを備え、
前記前面パネルには、前記挿排口を照射する照明手段が設けられている、ことを特徴とする車載機器。
【請求項２】
前記照明手段は、光源と、前記光源からの導入光を導光する導光板とを含み、
前記光源は、前記収納凹部に隣接して前記前面パネルに内蔵された基板に設けられており、
前記導光板は、前記収納凹部に隣接している、ことを特徴とする請求項１に記載の車載機器。
【請求項３】
前記光源は、前記基板の部品の搭載数が少ない面に設けられている、ことを特徴とする請求項１又は２に記載の車載機器。
【請求項４】
前記導光板は、前記前面パネルの上端部に形成された開口を介して前記挿排口を照射する、ことを特徴とする請求項１乃至３の何れかに記載の車載機器。
【請求項５】
前記前面パネルは、表示部を有し、
前記光源は、前記表示部に用いられる光源を兼ねる、ことを特徴とする請求項１乃至４の何れかに記載の車載機器。
【請求項６】
前記前面パネルは、操作部を有し、
前記照明手段は、前記操作部の照明に用いられる光源を兼ねる、ことを特徴とする請求項１乃至４の何れかに記載の車載機器。
【発明の詳細な説明】
【技術分野】
【０００１】
本発明は、車載機器に関するものである。
【背景技術】
【０００２】
従来のナビゲーション装置としては、本体機器と、本体機器の前面に傾動自在に支持された前面パネルとから構成されるものがある。前面パネルには、表示部や操作部などが設けられている。
このようなナビゲーション装置では、本体機器の前面側にＣＤ（Ｃｏｍｐａｃｔ  Ｄｉｓｋ）などの記憶媒体を挿入排出するための挿排口が設けられている。このような挿排口は、通常、前面パネルの傾動により露出されるように、本体機器の上部に設けられている。
このようなナビゲーション装置では、車内が暗い場合には、この挿排口の位置がわかりにくいため、記憶媒体の挿入排出が困難になる場合があった。
そこで従来のナビゲーション装置では、前面パネルの表示部を傾動させて、表示部から照射される表示光により、挿排口を照らしていた。
【０００３】
一方、特許文献１〜４は、車両に搭載された車載機器からナビゲーション部を着脱可能とする構成が開示されている。車載機器からナビゲーション部を取り外すことで、ナビゲーション部をポータブルナビとして単体で使用することが可能となる。
また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００４】
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００５】
しかし、上記のように、ナビゲーション部を着脱可能に保持する車載機器の場合、ナビゲーション部が車載機器から取り外されると、挿排口を照らすことができない。
そこで、挿排口を照らすために、車載機器の本体機器側に照明手段を設けることも可能ではある。
しかし、このように本体機器に照明手段を設けると、本体機器には、通常記憶媒体を再生するための再生手段が内蔵されているため、本体機器全体を制御するための制御基板は、本体機器の下部にしか配置することができない。従って、照明手段の光源も制御基板に搭載する必要がある。照明手段を制御基板に搭載した場合には、光源の照明光を挿排口まで導く必要があるため、導光部材を光源から挿排口まで延在させる必要がある。従って、大きな導光部材が必要となる。
また、光源から挿排口までの位置が遠いため、導光部材で照明光を導いても、光量が小さい場合には、挿排口に十分な照射が行われない恐れもあるため、光量が強い光源を用いる必要がある。
しかしながら、大きな導光部材や、光量の強い光源を用いると、本体機器に内蔵される部品が大型化し、ひいては本体機器そのものが大型化する恐れがある。
【０００６】
本発明は上記事情に鑑みてなされたものであり、大型化を抑制すると共に記憶媒体を挿入排出するための挿排口を照明することができる車載機器を提供することを目的とする。
【課題を解決するための手段】
【０００７】
上記目的は、記憶媒体を挿入排出するための挿排口を前面側に有する本体機器と、光を照射する表示部を有する携帯機器を着脱自在に保持する収納凹部を有していると共に前記本体機器の前面側を露出、遮蔽するように傾動自在に配置された前面パネルとを備え、前記前面パネルには、前記挿排口を照射する照明手段が設けられている、ことを特徴とする車載機器によって達成できる。
この構成により、携帯機器が着脱された場合であっても、挿排口を照射することができる。また、照明手段は、前面パネルに設けられているので、本体機器の大型化を抑制できる。また、照明手段は、前面パネルに設けられているので、挿排口に近い位置から照射することができ、挿排口の位置の確認が容易となる。
【０００８】
また、上記構成において、前記照明手段は、光源と、前記光源からの導光する導光板とを含み、前記光源は、前記収納凹部に隣接して前記前面パネルに内蔵された基板に設けられており、前記導光板は、前記収納凹部に隣接している、構成を採用できる。
この構成により、収納凹部との干渉を防止することができる。従って、携帯機器を小型化する必要がなく、前面パネル内のスペースを有効に利用することができる。
【０００９】
上記構成において、前記光源は、前記基板の部品の搭載数が少ない面に設けられている、構成を採用できる。
この構成により、基板の大型化を抑制できる。
【００１０】
上記構成において、前記導光板は、前記前面パネルの上端部に形成された開口を介して前記挿排口を照射する、構成を採用できる。
この構成により、挿排口の近くから照射することができる。
【００１１】
上記構成において、前記前面パネルは、表示部を有し、前記光源は、前記表示部に用いられる光源を兼ねる、構成を採用できる。
この構成により、部品点数を削減できる。
【００１２】
上記構成において、前記前面パネルは、操作部を有し、前記照明手段は、前記操作部の照明に用いられる光源を兼ねる、構成を採用できる。
この構成によっても、部品点数を削減できる。
【発明の効果】
【００１３】
本発明によれば、大型化を抑制すると共に記憶媒体を挿入排出するための挿排口を照明することができる車載機器を提供できる。
【発明を実施するための最良の形態】
【００１４】
添付図面を参照しながら本実施例の最良の実施例を説明する。但し、本発明の技術範囲は、以下で説明する実施例に限定されるものではなく、特許請求の範囲に記載された発明とその均等物に及ぶものである。
【実施例】
【００１５】
図１（Ａ）、（Ｂ）に車載システム１の外観を示す。図１（Ａ）、（Ｂ）に示すように車載システム１は、車両に搭載される車載機器１００と、ナビゲーション機能を備えたポータブル機器１０とから構成される。ポータブル機器１０は、図１（Ａ）に示すように車載機器１００の前面パネル１２０に取り付けて使用したり、図１（Ｂ）に示すように車載機器１００から取り外して使用することができる。
【００１６】
車載機器１００は、ラジオ放送の再生機能や、ＣＤ（Ｃｏｍｐａｃｔ  Ｄｉｓｃ）等の記録媒体に書き込まれた音楽データを再生可能な機器であり、ＣＤ再生部やＣＤ挿排口を有する本体機器１１０と、表示部１３１や操作部（主操作部）１３２を有する前面パネル１２０とを備えている。
ポータブル機器１０は、目的地までの誘導経路を検索し、地図上に検索した誘導経路を重ねて表示するナビゲーションの機能を備えている。
尚、前面パネル１２０の上端部には、照射スリット１２１が設けられている。スリット１２１については、詳しくは後述する。
【００１７】
図２は、ポータブル機器１０を車載機器１００から取り外した状態を示す。車載機器１００の前面パネル１２０には、ポータブル機器１０を装着するための凹部が形成された収納凹部１７０が設けられている。この収納凹部１７０には、車載機器１００とポータブル機器１０とを電気的に接続するためのコネクタ１５０と、ポータブル機器１０を前面パネル１２０に固定するためのロック機構（不図示）が設けられている。前面パネル１２０に設けた取り外しボタン１６０を操作すると、不図示のロック機構が解除され、車載機器１００からポータブル機器１０が取り外し可能となる。
【００１８】
図３には、前面パネル１２０を本体機器１１０に対して傾斜させ、ＣＤ挿排口１８０を露出させた状態を示す。
不図示の駆動機構によって図３に示すスライダー１８１を駆動させることで、前面パネル１２０を本体機器１１０に対してチルトさせることができる。チルト動作によって、本体機器１１０に設けられたＣＤ挿排口１８０を露出させ、ＣＤの挿排を行うことができる。車載機器１００の前面パネル１２０には、操作ボタン（図６に示すチルト／イジェクトボタン１３２ａ）が設けられており、このボタンの操作に応じたチルト角度に設定することができる。
【００１９】
図４は、車載システム１の車両への搭載例を示す。
車載システム１は、例えば図４に示すように、助手席５１と運転席５２とのほぼ中央のダッシュボード部分に配置される。尚、図示していないが、後述するＧＰＳ情報受信部１３３のＧＰＳアンテナは、ダッシュボード上に配置、又はフロントガラスの車室内側に貼り付けられる。
【００２０】
図５は、車載システム１の概略構成を示すブロック図である。
車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を接続することで、車載機器１００とポータブル機器１０との間で各種信号が送受信されて車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００２１】
車載機器１００は、表示部１３１、操作部１３２、ＧＰＳ情報受信部１３３、ラジオ受信部１３４、ＣＤ再生部１３５、音声調整回路１３６、メモリ１３７、マイク１３８、外部音声／映像入力部１３９、制御部１４０、コネクタ１５０を備えている。車載機器１００は、エンジンキーがＡｃｃ又はＩＧの位置にあるときに、車両側のバッテリから電力を供給されて動作する。
【００２２】
以下、各部の機能の詳細について説明する。
表示部１３１は、液晶パネルやバックライトを備え、１３セグメント表示によって受信放送周波数、トラックＮｏ、再生楽曲名等を表示する。
操作部１３２は、車載機器１００の動作モードを切り替えるための操作や、切り替えた各種モードでの操作を行うためのものである。操作部１３２には、図６に示すようにチルト／イジェクトボタン１３２ａ、ファンクション（以下、ＦＵＮＣと表記する）／ＡＦボタン１３２ｂ、ＴＥＸＴボタン１３２ｃ、ＳＣＲＥＥＮボタン１３２ｄ、ＳＯＵＲＣＥ／ＰＷＲボタン１３２ｅ、ＭＯＤＥボタン１３２ｆ、ＭＵＴＥボタン１３２ｇ、ＢＡＮＤ切換ボタン１３２ｈ、ロータリーボタン１３２ｉ、十字キー／エンターキーボタン１３２ｊとからなるボタン群を備える。
【００２３】
ここで、ボタン群の操作によるポータブル機器１０と車載機器１００の表示の切り替えについて説明する。
まず、車載機器１００のＳＯＵＲＣＥ／ＰＷＲボタン１３２ｅを押下することで、車載機器１００がオンされる。また車載機器１００がオンしているときに、ＳＯＵＲＣＥ／ＰＷＲボタン１３２ｅを短押しすることでＣＤ再生やラジオ等のソースの移行が行われる。このとき、車載機器１００の表示部１３１には、選択されたソースにおける情報が表示され、ポータブル機器１０の表示部１１には、ソースに関係なくナビゲーション画像が表示される。尚、表示部１１は、光を照射することにより、所定の画像を表示する。
次に、ＳＣＲＥＥＮボタン１３２ｄを押下すると、ポータブル機器１０の表示部１１の表示をナビゲーション画像から車載機器１００で選択されたソースに対応する画像に切り替えることができる。
【００２４】
図７（Ａ）は車載機器１００でＣＤを再生中にポータブル機器１０を装着し、ポータブル機器１０でナビゲーション画像を表示している状態を示している。
図７（Ａ）の状態から、ＳＯＵＲＣＥ／ＰＷＲボタン１３２ｅを押下して、ＣＤ再生からラジオのソースに切換操作を行うと、図７（Ｂ）に示すように、表示部１３１にラジオソースにおける情報が表示される。また、ポータブル機器１０の表示部１１には、ナビゲーション画像が表示されたままである。
次に、ユーザがＳＣＲＥＥＮボタン１３２ｄを押下すると、図７（Ｃ）に示すようにポータブル機器１０の表示部１１に、車載機器１００で処理中のソースに対応する画像が表示される（図７（Ｃ）ではラジオ画像）。ポータブル機器１０の表示部１１には、後述するタッチパネルが設けられており、ユーザはタッチパネルを介して表示部１１に表示される操作ボタンを選択することで、現在処理中のソースに対する操作をすることができる。
また、表示部１１にラジオ画像が表示された状態で、ＳＣＲＥＥＮボタン１３２ｄを押下すると、図７（Ｄ）に示すようにラジオ画像からナビゲーション画像に戻ることができる。ポータブル機器１０が車載機器１００から取り外されている状態では、ＳＣＲＥＥＮボタン１３２ｄの操作は無効となる。
また、ポータブル機器１０が車載機器１００から取り外されている状態で、外部音声／映像入力部１３９にＵＳＢ等が接続された場合には、ＳＯＵＲＣＥ／ＰＷＲボタン１３２ｅを押下しても、ＵＳＢのソースには切り替わらないようにすることもできる。
【００２５】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介して、ポータブル機器１０のナビゲーション部１９に出力され、ＧＰＳ信号に基づいて自車位置が割り出される。尚、ＧＰＳ情報受信部１３３で受信したＧＰＳ信号を制御部２０を介さずに、制御部１４０を介してポータブル機器１０のナビゲーション部１９に出力するようにしてもよいし、ＧＰＳ情報受信部１３３をＧＰＳアンテナのみで構成し、ＧＰＳアンテナで受信したＧＰＳ信号を、制御部１４０、２０を介さず、後述するＧＰＳ情報受信部１３のチューナに出力するようにしてもよいし、制御部２０は介するが、制御部１４０を介さずＧＰＳ情報受信部１３のチューナに出力する等、適宜変更が可能である。
【００２６】
ラジオ受信部１３４は、アンテナとチューナ部とを有しており、ＡＭ放送、ＦＭ放送、多重放送等の放送波を受信して、音声信号の出力、多重データの受信、復調を行い、復調信号を制御部１４０に出力する。
ＣＤ再生部１３５は、ＣＤに記録されたデータを読み取って、スピーカ１４５で再生し、再生信号を制御部１４０に出力する。
尚、ラジオ受信部１３４から出力される復調信号を制御部１４０を介さずに、後述する音声調整部１３６に出力するようにしてもよい。
音声調整回路１３６は、ラジオ受信部１３４で受信、復調された音声信号や、ＣＤ再生部１３５で再生された音声信号に、音量調整や音質調整等の信号処理をしてスピーカ１４５に出力する。
メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。
マイク１３８は、ハンズフリー通話を行うためのものであって、車室内のユーザの音声を取り込む。
外部音声／映像入力部１３９は、ＵＳＢ（Universal Serial Bus）メモリや、携帯型オーディオ装置等の外部機器との接続端子を備え、外部機器からの音声信号やデータを入力して制御部１４０に送り、制御部１４０からの制御信号、音声信号やデータ等を接続した外部機器に出力する。
【００２７】
制御部１４０は、操作部１３２の操作に従って、ラジオ受信部１３４、ＣＤ再生部１３５、音声調整回路部１３６などを制御する。
また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。
また、制御部１４０は、ポータブル機器１０と接続された携帯電話からの通話音声をコネクタ１５０を介して入力し、音声調整部１３６を介してスピーカ１４５に出力する。
さらに、制御部１４０は、ポータブル機器１０の表示部１１に表示される、各種モードのメニュー画像に対する操作信号をポータブル機器１０の制御部２０から取得し、ラジオ受信部１３４やＣＤ再生部１３５の制御を行う。
【００２８】
また、制御部１４０には、車両に搭載されたバッテリからの電源が入力されている。制御部１４０は、ポータブル機器１０が接続されている場合に、バッテリの電源をポータブル機器１０に出力する。
また、制御部１４０には、ＬＡＮ接続された車両から車速パルスとイルミ電源信号が入力される。制御部１４０は、入力した車速パルスをポータブル機器１０の制御部２０に転送する。尚、車速パルスが入力されない構成でもよい。
【００２９】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、コネクタ３０を備えている。
【００３０】
以下、各部の機能の詳細について説明する。
表示部１１は、液晶パネルとバックライトとを備え、ナビゲーション部１９で生成された地図情報や目的地までの誘導経路情報、また車載機器１００から転送された受信放送周波数、再生楽曲トラックＮｏ、再生楽曲名等を表示することができる。尚、表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００３１】
操作部１２は、タッチパネルや、ポータブル機器１０の電源をオン、オフするための電源ボタン５５（図８参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００３２】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自車位置が割り出される。なお、車載装置１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いて自車位置を特定し、ポータブル機器１０単独で使用する場合には、ＧＰＳ情報受信部１３で受信したＧＰＳ信号を用いて自機位置を特定する。
【００３３】
スピーカ１４は、ナビゲーション部１９からの音声情報を出力するためのものであり、ポータブル機器１０が車載機器１００から取り外された状態、つまり単体で使用されるときに、音声情報を出力する。
【００３４】
蓄電池１５は、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット（図８参照）を介して接続端末から電力の供給を受けて、蓄電池１５を充電することができる。
【００３５】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００３６】
メモリ１８は、例えば読み出しと書き込みとが可能なＲＡＭであり、各制御のために読み出された情報を一時的に記憶しておく。
【００３７】
ナビゲーション部１９は、ナビゲーションのために利用される地図情報を記憶した後述するＳＤカードやＵＳＢメモリから取得し、記憶する地図情報記憶部を備え、ＧＰＳ情報受信部１３３、又は１３からのＧＰＳ信号によって現在位置情報を割り出し、ナビゲーション動作のための画像を作成する。作成した地図は、表示部１１で表示させることができる。また、車載機器１００とポータブル機器１０とが接続されている場合には、車両から車速パルスを取得して、自車両の位置検出の精度を高めることができる。
【００３８】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４やＣＤ再生部１３５を制御する。
【００３９】
図８（Ａ）に、ポータブル機器１０の正面図、上面図、下面図、左側面図、右側面図を示し、図８（Ｂ）にポータブル機器１０の背面図を示す。
ポータブル機器１０の上面には、ポータブル機器の電源をオン、オフさせる電源ボタン５５が設けられており、下面には、ＳＤ（Ｓｅｃｕｒｅ  Ｄｉｇｉｔａｌ）メモリカードスロット５６、ＵＳＢスロット５７が設けられている。地図情報が記憶されたＳＤカードやＵＳＢメモリを、これらのスロットに差し込むことで、制御部２０はＳＤカードやＵＳＢメモリからナビゲーション部１９に地図情報を出力する。
【００４０】
ポータブル機器１０の電源は、ポータブル機器を車載機器１００に装着したときには、車載機器１００からの制御によって電源がオン、オフされる。また、車載機器１００から取り外してポータブル機器１０を単体で使用する場合には、電源ボタン５５のオン、オフ操作に基づいて電源が操作される。
【００４１】
さらに、ポータブル機器１０の背面側には、車載機器１００との電気的な接続をとるためのコネクタ３０と、車載機器１００側に設けたロック機構（不図示）と係合する係合部５８とが設けられている。
【００４２】
図９は、ポータブル機器１０と本体機器１１０との構成を詳細に示した斜視図である。
【００４３】
次に、ＣＤ挿排口１８０を照射するための照明手段について詳しく説明する。
図１０は、前面パネル１２０の背面側から見た分解図である。
前面パネル１２０は、収納凹部１７０に隣接して、基板１９０を内蔵している。基板１９０は、操作部１３２からの操作指令に基づいた信号を処理し、制御部１４０へ送信する。基板１９０は、操作部１３２に対応する位置に内蔵されている。
【００４４】
また、基板１９０は、その背面に発光ダイオード１９１が搭載されている。この発光ダイオード１９１は、ＣＤ挿排口１８０を照射するための光源である。また、発光ダイオード１９１は、導光板２００により、照射スリット１２１にまで光が導かれる。
導光板２００は、発光ダイオード１９１と接すると共に、収納凹部１７０と照射スリット１２１が形成された上端面との隙間に配置される。
照明手段は、発光ダイオード１９１と導光板２００とを含む。
【００４５】
図１１は、導光板２００の拡大図である。導光板２００は、発光ダイオード１９１からの導入光を照射する照射面２０１を有している。照射面２０１は、照射スリット１２１により露出されるように配置される。
また、貼付面２０２は、前面パネル１２０に固定するための貼付面２０２を有している。なお、貼付面２０２は、図１１において斜線で示した箇所である。貼付面２０２に貼り付けられる両面テープにより導光板２００は前面パネル１２０に固定される。
【００４６】
図１２は、前面パネル１２０を上部側から見た一部切欠図である。
導光板２００は、基板１９０の背面側に固定され、発光ダイオード１９１と接するように配置される。これにより、発光ダイオード１９１からの導入光が導光板２００を介して照射スリット１２１から照射される。
【００４７】
このように、ＣＤ挿排口１８０を照射するための照明手段を設けることによって、ポータブル機器１０が着脱された場合であっても、ＣＤ挿排口１８０を照射することができる。
【００４８】
また、この照明手段は、前面パネル１２０に設けられているので、１ポータブル機器１０の大型化を抑制できる。
また、照明手段は、前面パネル１２０に設けられているので、ＣＤ挿排口１８０に近い位置から照射することができ、ＣＤ挿排口１８０の位置の確認が容易となる。
【００４９】
また、発光ダイオード１９１は、収納凹部１７０に隣接して前面パネル１２０に内蔵された基板基板１９０に設けられており、導光板２００は、ＣＤ挿排口１８０に隣接しているので、収納凹部１７０との干渉を防止できる。従って、ポータブル機器１０を小型化する必要がなく、前面パネル１２０内のスペースを有効に利用することができる。
【００５０】
また、発光ダイオード１９１は、基板１９０の部品点数の少ない面（背面側）に設けられている。この構成により、基板１９０の大型化を抑制できる。
また、導光板２００は、前面パネル１２０の上端部に形成された照射スリット１２１を介してＣＤ挿排口１８０を照射する。このため、ＣＤ挿排口１８０の近くから照射することができる。
【００５１】
次に、照明手段の変形例について説明する。
図１３は、照明手段の変形例の説明図である。尚、図１３は、基板１９０を正面側から見た図である。
図１３に示すように、発光ダイオード１９１ａ及び発光ダイオード１９１ｂは、基板１９０の導光板１９３が設けられた側に配置されている。導光板１９３は、表示部１３１を表示するために用いられるものであり、発光ダイオード１９１ａ及び発光ダイオード１９１ｂは、導光板１９３の両端部に各々配置されている。
また、導光板２００は、発光ダイオード１９１ｂに接触して配置されている。
このように、ＣＤ挿排口１８０を照射するための光源である発光ダイオード１９１ｂは、表示部１３１に用いられる光源を兼ねる。この構成により、部品点数の削減を図ることができる。
【００５２】
上述した実施例は本発明の好適な実施の一例である。但し、これに限定されるものではなく、本発明の要旨を逸脱しない範囲内において種々変形実施可能である。
例えば、上記変形例で、ＣＤ挿排口１８０を照射するための光源が、表示部１３１に用いられる光源を兼ねる構成を示したが、表示部１３１に限定されず、例えば、操作部１３２の照明に用いられる光源を兼ねるように構成してもよい。
また、照明手段は、ポータブル機器１０の着脱に応じて点灯状態が変化するように構成してもよい。例えば、ポータブル機器１０が収納凹部１７０に装着されている場合には、消灯状態とし、ポータブル機器１０が取り外されている場合には、点灯状態とするように構成してもよい。
また、前面パネル１２０の傾動角度に応じて、点灯状態が変化するように構成してもよい。また、前面パネル１２０の傾動角度に応じて、発光ダイオード１９１の輝度を変化させてもよい。
【図面の簡単な説明】
【００５３】
【図１】図１（Ａ）及び（Ｂ）は、車載システムの概略図である。
【図２】図２は、ポータブル機器を車載機器から取り外した状態の概略図である。
【図３】図３は、前面パネルを本体機器に対して傾斜させ、ＣＤ挿排口を露出させた状態の概略図である。
【図４】図４は、車載システムの車両への搭載の例示図である。
【図５】図５は、車載システムの概略構成を示すブロック図である。
【図６】図６は、前面パネルの正面図である。
【図７】図７（Ａ）乃至（Ｄ）は、車載機器での操作とそれ応じたポータブル機器の表示例の説明図である。
【図８】図８（Ａ）及び（Ｂ）は、ポータブル機器の概略図である。
【図９】ポータブル機器と本体機器との構成を詳細に示した斜視図である。
【図１０】前面パネルの背面側から見た分解図である。
【図１１】導光板の拡大図である。
【図１２】前面パネルを上部側から見た一部切欠図である。
【図１３】照明手段の変形例の説明図である。
【符号の説明】
【００５４】
１０  ポータブル機器
１１  表示部
１２  操作部
１３  ＧＰＳ情報受信部
１４  スピーカ
１５  蓄電池
１６  充電回路
１７  無線通信送受信部
１８  メモリ
１９  ナビゲーション部
２０  制御部
３０  コネクタ
１００  車載機器
１２０  前面パネル
１２１  照射スリット
１３１  表示部
１３２  操作部
１３３  ＧＰＳ情報受信部
１３４  ラジオ受信部
１３５  ＣＤ再生部
１３６  音声調整回路（音声出力手段）
１３７  メモリ（記憶手段）
１３８  マイク
１３９  外部音声／映像入力部
１４０  制御部（検出手段、制御手段）
１４５  スピーカ（音声出力手段）
１５０  コネクタ
１６０  取り外し操作ボタン
１７０  収納凹部
１８０  ＣＤ挿排口
１９０  基板
１９１  発光ダイオード
２００  導光板
【図１】
2008168713.tif 000003
【図２】
2008168713.tif 000004
【図３】
2008168713.tif 000005
【図４】
2008168713.tif 000006
【図５】
2008168713.tif 000007
【図６】
2008168713.tif 000008
【図７】
2008168713.tif 000009
【図８】
2008168713.tif 000010
【図９】
2008168713.tif 000011
【図１０】
2008168713.tif 000012
【図１１】
2008168713.tif 000013
【図１２】
2008168713.tif 000014
【図１３】
2008168713.tif 000015